(57)【要約】【課題】容器内底が洗い易い飲料水保存容器の提供。【解決手段】飲料水保存容器１は、飲口１１にスクリューキャップ１２を嵌合した飲口側容器１３と、底側容器１４とからなり、飲口側容器１３の雄ネジ１６と底側容器１４の雌ネジ１７とが螺合する様に容器どうしを水密的に連結し、果汁等の飲料水を容器内へ飲口１１から注入し、飲口１１にスクリューキャップ１２を嵌合してなる。この飲料水保存容器１を再利用する際には、タワシ等を容器開口から容器内壁に押し当てて擦れば、飲口側容器１３の内壁、および底側容器１４の底面を含む内壁を綺麗に洗浄することができる。【選択図】図１
0003143057.tif 000002
【実用新案登録請求の範囲】
【請求項１】
径大で円筒状の胴部の下部外周に雄ネジを形成し、径小で円筒状の飲口を上部に形成し、該飲口にキャップを嵌合した飲口側容器と、
前記雄ネジに螺合可能な雌ネジを上部内壁に形成した径大で有底円筒状の底側容器とからなる飲料水保存容器。
【請求項２】
飲口側筒状胴部の下部に飲口側円筒状部を形成し、該飲口側円筒状部の外周に雄ネジを形成し、前記飲口側筒状胴部の上部に径小で円筒状の飲口を形成し、該飲口にキャップを嵌合した飲口側容器と、
有底の底側筒状胴部の上部に底側円筒状部を形成し、前記雄ネジに螺合可能な雌ネジを前記底側円筒状部の内壁に形成した底側容器とからなる飲料水保存容器。
【請求項３】
円筒状の有底胴部の下部外周に雄ネジを形成し、径小で円筒状の飲口を上部に形成し、該飲口にキャップを嵌合した飲口側容器と、
前記雄ネジに螺合可能な雌ネジを容器内壁に形成し、該容器内壁と容器外壁との間に冷却剤を入れるための環状空間を形成した径大で有底円筒状の底側容器とからなる飲料水保存容器。
【請求項４】
円筒状の胴部の下部内周に雌ネジを形成し、胴部略中間に底となる隔壁を形成し、径小で円筒状の飲口を胴部上部に形成し、該飲口にキャップを嵌合した飲口側容器と、
前記雌ネジに螺合可能な雄ネジを有底円筒状容器の上部外壁に形成し、容器下部を径大にした底側容器とからなり、底側容器内に冷却剤を配設可能な飲料水保存容器。
【請求項５】
円筒状の胴部の下部外周に雄ネジを形成し、径小で円筒状の飲口を上部に形成し、該飲口にキャップを嵌合した飲口側容器と、
雄ネジを上部外壁に形成した径大で有底円筒状の底側容器と、
前記飲口側容器および前記底側容器の各雄ネジが嵌合する雌ネジを内壁に形成した連結円筒とからなる飲料水保存容器。
【請求項６】
有底円筒状を呈する胴部の下部外周に雄ネジを形成し、径小で円筒状の上側飲口を上部に形成し、該飲口に上側キャップを嵌合した上側容器と、
上面が閉塞した円筒胴部の上部外周に雄ネジを形成し、径小で円筒状の下側飲口を下部に形成し、該飲口に下側キャップを嵌合した下側容器と、
前記上側容器および前記下側容器の各雄ネジが嵌合する雌ネジを内壁に形成した連結円筒とからなる飲料水保存容器。
【考案の詳細な説明】
【技術分野】
【０００１】
本考案は、飲料水を保存する飲料水保存容器に関する。
【背景技術】
【０００２】
特許文献１には、一本のボトルで２種類のドリンクを２箇所の飲口から飲むことができるＷペットボトルが開示されている。
特許文献２には、二本の容器の底の面どうしを接着して一本のペットボトルとした容器が開示されている。
【０００３】
特許文献３には、二つの飲口から、同一の飲料を飲むことができる携帯飲料容器が開示されている。
特許文献４には、二分した容器内に異なる飲料水を入れ、これら容器を貼り合わせたペットボトルが開示されている。
【特許文献１】特開２００６−２１３３９７号公報
【特許文献２】特開２００５−３２４８５３号公報
【特許文献３】特開２００５−１１９６９８号公報
【特許文献４】特開２００５−４７６１１号公報
【考案の開示】
【考案が解決しようとする課題】
【０００４】
特許文献１の技術は、片方のドリンクを全部飲んでしまった場合には、空のボトルが邪魔になる。
特許文献２の技術は、片方のドリンクを全部飲んでしまった場合には、空の容器が邪魔になる。
特許文献３の技術は、同一の飲料を異なる人が飲むことになるので衛生的でない。
特許文献４の技術は、飲みにくく、ボトルの加工が複雑であるのでコストがかかる。
【０００５】
本考案の第１の目的は、容器内底が洗い易い飲料水保存容器の提供にある。
本考案の第２の目的は、飲料水を冷やすことができる飲料水保存容器の提供にある。
本考案の第３の目的は、二種類の飲料水を保存でき、全部飲んでしまった側の容器を取り外すことができる飲料水保存容器の提供にある。
【課題を解決するための手段】
【０００６】
〔請求項１について〕
飲料水保存容器は、径大で円筒状の胴部の下部外周に雄ネジを形成し、径小で円筒状の飲口を上部に形成し、飲口にキャップを嵌合した飲口側容器と、雄ネジに螺合可能な雌ネジを上部内壁に形成した径大で有底円筒状の底側容器とからなる。
【０００７】
製造工場において、飲口側容器の雄ネジと底側容器の雌ネジとが螺合する様に、飲口側容器と底側容器とを水密的に連結し、果汁等の飲料水を容器内へ飲口から注入し、飲口にキャップを嵌合させて販売店等に出荷する。
【０００８】
飲料水が入った飲料水保存容器を購入した消費者は、飲口のキャップを外して飲料水を飲む。
空になった飲料水保存容器を、お茶やコーヒー等を保存する容器として消費者が再利用する際には、飲口側容器と底側容器との一方を左手で持ち、右手で他方の容器を廻して二つに分離する。
なお、飲料水保存容器を再利用する際には、タワシ等を容器開口から容器内壁に押し当てて擦れば、飲口側容器および底側容器の内壁を綺麗に洗浄することができる。
この飲料水保存容器は、衛生的に繰り返し、再利用できるので、ゴミの減量や、資源の節約に寄与する。
【０００９】
〔請求項２について〕
飲料水保存容器は、飲口側筒状胴部の下部に飲口側円筒状部を形成し、飲口側円筒状部の外周に雄ネジを形成し、飲口側筒状胴部の上部に径小で円筒状の飲口を形成し、飲口にキャップを嵌合した飲口側容器と、有底の底側筒状胴部の上部に底側円筒状部を形成し、雄ネジに螺合可能な雌ネジを底側円筒状部の内壁に形成した底側容器とからなる。
なお、飲口側円筒状部以外の飲口側筒状胴部は、断面が円形である必要はなく、四角形や六角形であっても良い。また、底側円筒状部以外の底側容器は、嵌合時の見栄えを考慮すると断面円形が好適である。
【００１０】
製造工場において、飲口側円筒状部の雄ネジと底側円筒状部の雌ネジとが螺合する様に、飲口側容器と底側容器とを水密的に連結し、紅茶等の飲料水を容器内へ飲口から注入し、飲口にキャップを嵌合させて販売店等に出荷する。
【００１１】
飲料水が入った飲料水保存容器を購入した消費者は、飲口のキャップを外して飲料水を飲む。
空になった飲料水保存容器を、お茶やコーヒー等を保存する容器として消費者が再利用する際には、飲口側容器と底側容器との一方を左手で持ち、右手で他方の容器を廻して二つに分離する。
なお、飲料水保存容器を再利用する際には、タワシ等を容器開口から容器内壁に押し当てて擦れば、飲口側容器および底側容器の内壁を綺麗に洗浄することができる。
この飲料水保存容器は、衛生的に繰り返し、再利用できるので、ゴミの減量や、資源の節約に寄与する。
【００１２】
〔請求項３について〕
飲料水保存容器は、円筒状の有底胴部の下部外周に雄ネジを形成し、径小で円筒状の飲口を上部に形成し、飲口にキャップを嵌合した飲口側容器と、雄ネジに螺合可能な雌ネジを容器内壁に形成し、容器内壁と容器外壁との間に冷却剤を入れるための環状空間を形成した径大で有底円筒状の底側容器とからなる。
【００１３】
製造工場において、カクテル等の飲料水を飲口側容器内へ飲口から注入し、飲口にキャップを嵌合させて販売店等に出荷する。なお、嵩張らない様に、飲料水の注入前か注入後に、有底胴部の雄ネジと底側容器の雌ネジとが螺合する様に、飲口側容器と底側容器とを連結する。
【００１４】
この飲料水保存容器を購入した消費者が、氷等が入手困難な場所で冷えた飲料水を飲みたい場合には、予め、飲口側容器と底側容器との一方を左手で持ち、右手で他方の容器を廻して二つに分離し、底側容器の内壁と外壁との間の環状空間に、氷等の冷却剤を入れ、再び、飲口側容器と底側容器とを廻して連結しておく。
消費者は、飲口のキャップを外せば、冷えた飲料水を飲むことができる。
【００１５】
〔請求項４について〕
飲料水保存容器は、円筒状の胴部の下部内周に雌ネジを形成し、胴部略中間に底となる隔壁を形成し、径小で円筒状の飲口を胴部上部に形成し、飲口にキャップを嵌合した飲口側容器と、雌ネジに螺合可能な雄ネジを有底円筒状容器の上部外壁に形成し、容器下部を径大にした底側容器とからなり、底側容器内に冷却剤が配設可能である。
【００１６】
製造工場において、清涼炭酸水等の飲料水を飲口側容器内へ飲口から注入し、飲口にキャップを嵌合させて販売店等に出荷する。なお、嵩張らない様に、飲料水の注入前か注入後に、飲口側容器の雌ネジと底側容器の雄ネジとが螺合する様に、飲口側容器と底側容器とを連結する。
【００１７】
この飲料水保存容器を購入した消費者が、氷等が入手困難な場所で冷えた飲料水を飲みたい場合には、予め、飲口側容器と底側容器との一方を左手で持ち、右手で他方の容器を廻して二つに分離し、底側容内に、氷等の冷却剤を入れ、再び、飲口側容器と底側容器とを廻して連結しておく。
消費者は、飲口のキャップを外せば、冷えた飲料水を飲むことができる。
【００１８】
〔請求項５について〕
飲料水保存容器は、円筒状の胴部の下部外周に雄ネジを形成し、径小で円筒状の飲口を上部に形成し、飲口にキャップを嵌合した飲口側容器と、雄ネジを上部外壁に形成した径大で有底円筒状の底側容器と、飲口側容器および底側容器の各雄ネジが嵌合する雌ネジを内壁に形成した連結円筒とからなる。
【００１９】
製造工場において、飲口側容器および底側容器の各雄ネジと連結円筒の雌ネジとが螺合する様に、飲口側容器と底側容器とを水密的に連結し、果汁等の飲料水を容器内へ飲口から注入し、飲口にキャップを嵌合させて販売店等に出荷する。
【００２０】
飲料水が入った飲料水保存容器を購入した消費者は、飲口のキャップを外して飲料水を飲む。
空になった飲料水保存容器を、お茶やコーヒー等を保存する容器として消費者が再利用する際には、飲口側容器と底側容器との一方を左手で持ち、右手で他方の容器を廻して二つに分離する。
なお、飲料水保存容器を再利用する際には、タワシ等を容器開口から容器内壁に押し当てて擦れば、飲口側容器および底側容器の内壁を綺麗に洗浄することができる。
この飲料水保存容器は、衛生的に繰り返し、再利用できるので、ゴミの減量や、資源の節約に寄与する。
また、飲料水保存容器は、飲口側容器と底側容器との外径を略同じにできる。
【００２１】
〔請求項６について〕
飲料水保存容器は、有底円筒状を呈する胴部の下部外周に雄ネジを形成し、径小で円筒状の上側飲口を上部に形成し、飲口に上側キャップを嵌合した上側容器と、上面が閉塞した円筒胴部の上部外周に雄ネジを形成し、径小で円筒状の下側飲口を下部に形成し、飲口に下側キャップを嵌合した下側容器と、上側容器および下側容器の各雄ネジが嵌合する雌ネジを内壁に形成した連結円筒とからなる。
【００２２】
製造工場において、飲料水を上側容器および下側容器内へ飲口から注入し、飲口にキャップを嵌合させて販売店等に出荷する。なお、容器内へ注入する飲料水は、種類、濃さ、量が異なるものが好ましい。
なお、各飲料水の注入後に、上側容器および下側容器を連結円筒を介して連結して合体させる。
【００２３】
飲料水が入った飲料水保存容器を購入した消費者は、何れか一方の容器の飲口を上に向けた状態でキャップを外し、中の飲料水を飲む。
他方の容器内の飲料水を飲みたい場合には、一方の容器のキャップを飲口に嵌め、他方の容器の飲口を上に向けてキャップを外し、他方の容器内の飲料水を飲む。
容器内の飲料水が空になった時点で、その容器を連結円筒から外して連結を解除して空容器を捨てる。
【００２４】
各容器内へ注入する飲料水の種類を変えれば、二種類の飲料水を選んで飲むことができる。
各容器内へ注入する飲料水の濃さを変えれば、気分や体調に応じて、二種類の濃さの飲料水を飲むことができる。
各容器内へ注入する飲料水の量を変えれば、気分や体調に応じた量の飲料水を飲むことができる。
【考案を実施するための最良の形態】
【００２５】
飲料水保存用のプラスチック容器は、飲口側筒状胴部（断面四角形）の下部に飲口側円筒状部を形成し、この飲口側円筒状部の外周に雄ネジを形成し、飲口側筒状胴部の上部に飲口を形成し、この飲口にスクリューキャップを嵌合した飲口側容器と、有底の底側円筒状胴部の上部に底側円筒状部を形成し、雄ネジに螺合可能な雌ネジを底側円筒状部の内壁に形成した底側容器とからなる。
【００２６】
製造工場において、飲口側円筒状部の雄ネジと底側円筒状部の雌ネジとが螺合する様に、飲口側容器と底側容器とを水密的に連結し、果肉入り飲料水を容器内へ飲口から注入し、飲口にスクリューキャップを嵌合させて飲料水販売店へ出荷する。
【００２７】
果肉入り飲料水が入った飲料水保存容器を購入した消費者は、飲口のキャップを外して果肉入り飲料水を飲む。
空になった飲料水保存容器を、お茶やコーヒー等を保存する容器として消費者が再利用する際には、飲口側容器と底側容器との一方を左手で持ち、右手で他方の容器を廻して二つに分離する。
なお、飲料水保存容器を再利用する際には、タワシ等を容器開口から容器内壁に押し当てて擦れば、飲口側容器および底側容器の内壁にこびり付いた果肉カスを綺麗に洗浄することができる。
この飲料水保存容器は、衛生的に繰り返し、再利用できるので、ゴミの減量や、資源の節約に寄与する。
【実施例１】
【００２８】
本考案の実施例１（請求項１に対応）を図１に基づいて説明する。
飲料水保存容器１は、飲口１１にスクリューキャップ１２を嵌合した飲口側容器１３と、底側容器１４とからなる。
【００２９】
飲口側容器１３（硬質プラスチック製）は、径大で円筒状の胴部１５の下部外周に雄ネジ１６を形成し、径小で円筒状の飲口１１を上部に形成している。
底側容器１４（硬質プラスチック製）は径大で有底円筒状を呈し、雄ネジ１６に螺合可能な雌ネジ１７を上部内壁に形成している。
【００３０】
製造工場において、飲口側容器１３の雄ネジ１６と底側容器１４の雌ネジ１７とが螺合する様に、飲口側容器１３と底側容器１４とを水密的に連結し、果汁等の飲料水を容器内へ飲口１１から注入し、飲口１１にスクリューキャップ１２を嵌合させて製造する。そして、この飲料水保存容器１は、販売店等に出荷される。
【００３１】
飲料水が入った飲料水保存容器１を購入した消費者は、飲口１１のスクリューキャップ１２を外して飲料水を飲む。
空になった飲料水保存容器１を、お茶やコーヒー等を保存する容器として消費者が再利用する際には、飲口側容器１３と底側容器１４との一方を左手で持ち、右手で他方の容器を廻して二つに分離する。なお、飲料水保存容器１を再利用する際には、タワシ等を容器開口から容器内壁に押し当てて擦れば、飲口側容器１３および底側容器１４の内壁を綺麗に洗浄することができる。
この飲料水保存容器１は、衛生的に繰り返し、再利用できるので、ゴミの減量や、資源の節約に寄与する。
【実施例２】
【００３２】
本考案の実施例２（請求項２に対応）を図２に基づいて説明する。
飲料水保存容器２は、飲口２１にスクリューキャップ２２を嵌合した飲口側容器２３と、底側容器２４とからなる。
【００３３】
飲口側容器２３（硬質プラスチック製）は、飲口側筒状胴部２５の下部に飲口側円筒状部２６を形成し、飲口側円筒状部２６の外周に雄ネジ２６ａを形成し、飲口側筒状胴部２５の角錐上部に径小で円筒状の飲口２１を形成している。
底側容器２４（硬質プラスチック製）は、有底の径大円筒胴部２７の上部に底側円筒状部２８を形成し、雄ネジ２６ａに螺合可能な雌ネジ２８ａを底側円筒状部２８の内壁に形成している。
【００３４】
製造工場において、飲口側容器２３の雄ネジ２６ａと底側容器２４の雌ネジ２８ａとが螺合する様に、飲口側容器２３と底側容器２４とを水密的に連結し、果汁等の飲料水を容器内へ飲口２１から注入し、飲口２１にスクリューキャップ２２を嵌合させて製造する。そして、この飲料水保存容器２は、販売店等に出荷される。
【００３５】
飲料水が入った飲料水保存容器２を購入した消費者は、飲口２１のスクリューキャップ２２を外して飲料水を飲む。
空になった飲料水保存容器２を、お茶やコーヒー等を保存する容器として消費者が再利用する際には、飲口側容器２３と底側容器２４との一方を左手で持ち、右手で他方の容器を廻して二つに分離する。なお、飲料水保存容器２を再利用する際には、タワシ等を容器開口から容器内壁に押し当てて擦れば、飲口側容器２３および底側容器２４の内壁を綺麗に洗浄することができる。
【００３６】
この飲料水保存容器２は、衛生的に繰り返し、再利用できるので、ゴミの減量や、資源の節約に寄与する。
この飲料水保存容器２は、飲口側容器２３が角筒状であるので、消費者が飲料水を飲む際に持ち易いとともに、機械的強度を高くできる。
【実施例３】
【００３７】
本考案の実施例３（請求項３に対応）を図３に基づいて説明する。
飲料水保存容器３は、飲口３１にスクリューキャップ３２を嵌合した飲口側容器３３  と、底側容器３４とからなる。
【００３８】
飲口側容器３３（ガラス製）は、円筒状の有底胴部３５の下部外周に雄ネジ３５ａを形成し、径小で円筒状の飲口３１を上部に形成し、飲口３１にスクリューキャップ３２を嵌合している。
【００３９】
底側容器３４（硬質プラスチック製）は径大で有底円筒状を呈し、雄ネジ３５ａに螺合可能な雌ネジ３４ａを容器内壁に形成し、容器内壁と容器外壁との間に氷３０（冷却剤）を入れるための環状空間３６を形成している。
【００４０】
製造工場において、カクテル等の飲料水を容器内へ飲口３１から注入し、飲口３１にスクリューキャップ３２を嵌合させて製造する。そして、この飲料水が入った飲料水保存容器３は、底側容器３４とともに、酒販売店へ出荷される。
【００４１】
飲口側容器３３に底側容器３４を同梱した飲料水保存容器３を購入した消費者は、飲料水を飲む予定時間より前に底側容器３４の環状空間３６内へ氷３０を入れ、飲口側容器３３と底側容器３４との一方を左手で持ち、右手で他方の容器を廻して容器どうしを合体させておく。
【００４２】
合体させてから時間が経過して、飲口側容器３３内の飲料水が充分冷えてきたら、スクリューキャップ３２を外して、冷えた飲料水を飲口３１からグラス等へ注いで飲む。
【００４３】
空になった飲料水保存容器３を、お茶やコーヒー等の冷却器として消費者が再利用することもできる。この飲料水保存容器３は、再利用できるので、ゴミの減量や、資源の節約に寄与する。
【実施例４】
【００４４】
本考案の実施例４（請求項４に対応）を図４に基づいて説明する。
飲料水保存容器４（硬質プラスチック製）は、飲口４１にスクリューキャップ４２を嵌合した飲口側容器４３と、円筒状の底側容器４４とからなる。
飲口側容器４３は、円筒状の胴部４５の下部内周に雌ネジ４５ａを形成し、胴部中間より若干下方に底となる隔壁４５ｂを形成し、径小で円筒状の飲口４１を胴部上部に形成している。
【００４５】
製造工場において、炭酸飲料等の飲料水を容器内へ飲口４１から注入し、飲口４１にスクリューキャップ４２を嵌合させて製造する。そして、この飲料水が入った飲料水保存容器４は、空の底側容器４４を嵌合させて販売店へ出荷される。
【００４６】
空の底側容器４４を嵌合した飲料水保存容器４を購入した消費者は、飲口側容器４３と底側容器４４との一方を左手で持ち、右手で他方の容器を廻して容器どうしを外し、飲料水を飲む予定時間より前に底側容器４４内へ氷４０を入れた後に、同様の方法で容器どうしを合体させておく。
【００４７】
合体させてから時間が経過して、飲口側容器４３内の飲料水が充分冷えてきたら、スクリューキャップ４２を外して、冷えた飲料水を心地よく飲口４１から飲むことができる。  
【００４８】
空になった飲料水保存容器４を、お茶やコーヒー等の冷却器として消費者が再利用することもできる。この飲料水保存容器４は、再利用できるので、ゴミの減量や、資源の節約に寄与する。
【実施例５】
【００４９】
本考案の実施例５（請求項５に対応）を図５に基づいて説明する。
飲料水保存容器５（硬質プラスチック製）は、飲口５１にスクリューキャップ５２を嵌合した飲口側容器５３と、円筒状の底側容器５４と、雌ネジ５５ａを内壁に形成した連結円筒５５とからなる。
【００５０】
飲口側容器５３は、円筒状の胴部５６の下部外周に雄ネジ５６ａを形成し、径小で円筒状の飲口５１を上部に形成している。
底側容器５４は、有底円筒状を呈し、雄ネジ５４ｂを上部外壁に形成している。
連結円筒５５は、飲口側容器５３の雄ネジ、および底側容器５４の雄ネジ５４ｂが嵌合する雌ネジ５５ａを内壁に形成している。
【００５１】
製造工場において、飲口側容器５３の雄ネジ５６ａおよび底側容器５４の雄ネジ５４ｂが螺合する様に、連結円筒５５と各容器とを水密的に嵌合させて製造する。そして、果汁等の飲料水を容器内へ飲口５１から注入し、飲口５１にスクリューキャップ５２を嵌合させて製造する。そして、この飲料水保存容器５は、販売店等に出荷される。
【００５２】
飲料水が入った飲料水保存容器５を購入した消費者は、飲口５１のスクリューキャップ５２を外して飲料水を飲む。
【００５３】
空になった飲料水保存容器５を、お茶やコーヒー等を保存する容器として消費者が再利用する際には、飲口側容器５３と連結円筒５４と連結円筒５５とを分離する。そして、タワシ等を容器開口から容器内壁に押し当てて擦り、飲口側容器１３および底側容器１４の内壁を洗浄する。
この飲料水保存容器５は、衛生的に繰り返し、再利用できるので、ゴミの減量や、資源の節約に寄与する。
【実施例６】
【００５４】
本考案の実施例６（請求項６に対応）を図６に基づいて説明する。
飲料水保存容器６は、飲口６１にスクリューキャップ６１ａ（上側キャップ）を嵌合した上側容器６２と、飲口６３にスクリューキャップ６３ａ（下側キャップ）を嵌合した下側容器６４と、雌ネジ６５ａを内壁に形成した連結円筒６５とからなる。
【００５５】
上側容器６２（硬質プラスチック製）は、有底円筒状を呈する胴部の下部外周に雄ネジ６２ａを形成し、径小で円筒状の飲口６１（上側飲口）を上部に形成している。
下側容器６３（硬質プラスチック製）は、有底円筒状を呈する胴部の下部外周に雄ネジ６４ａを形成し、径小で円筒状の飲口６３（下側飲口）を下部に形成している。
【００５６】
連結円筒６５は、上側容器６２および下側容器６３の雄ネジ６２ａ、６４ａが嵌合する雌ネジ６５ａを内壁に形成し、中央に隔壁６５ｂを形成している。
【００５７】
製造工場において、お茶等の飲料水を上側容器６２内へ飲口６１から注入し、飲口６１にスクリューキャップ６１ａを嵌合させて製造する。また、コーヒー等の飲料水を下側容器６３へ飲口６３から注入し、飲口６３にスクリューキャップ６３ａを嵌合させて製造する。
そして、この飲料水保存容器６は、上側容器６２および下側容器６３の雄ネジ６２ａ、６４ａに、連結円筒６５の雌ネジ６５ａを嵌合させて販売店へ出荷される。
【００５８】
飲料水が入った飲料水保存容器６を購入した消費者は、飲口６１のスクリューキャップ６１ａを外して上側容器６２内の飲料水を飲む。また、飲口６３のスクリューキャップ６３ａを外して下側容器６４内の飲料水を飲む。
【００５９】
飲み終えて容器が空になった場合には、空容器を連結円筒６５から外して捨てる。また、飲料水が入った容器を買って連結円筒６５に嵌合することもできる。
【図面の簡単な説明】
【００６０】
【図１】本考案の実施例１にかかる飲料水保存容器の説明図である。
【図２】本考案の実施例２にかかる飲料水保存容器の説明図である。
【図３】本考案の実施例３にかかる飲料水保存容器の説明図である。
【図４】本考案の実施例４にかかる飲料水保存容器の説明図である。
【図５】本考案の実施例５にかかる飲料水保存容器の説明図である。
【図６】本考案の実施例６にかかる飲料水保存容器の説明図である。
【符号の説明】
【００６１】
１、２、３、４、５  飲料水保存容器
１１、２１、３１、４１、５１、６１，６３  飲口
１２、２２、３２、４２、５２、６１ａ、６３ａ  スクリューキャップ
１３、２３、３３、４３、５３  飲口側容器
１４、２４、３４、３５、４４、５４  底側容器
１５、４５、５５  胴部
１６、５４ｂ  雄ネジ
１７、２８ａ、３４ａ、４５ａ、５５ａ、６５ａ  雌ネジ
２５  飲口側筒状胴部
２６  飲口側円筒状部
２６ａ、３５ａ、５６ａ、６２ａ  雄ネジ
２７  径大円筒胴部
２８  底側円筒状部
３５  有底胴部
３６  環状空間
４３  飲口側容器
４５ｂ  隔壁
５５、６５  連結円筒
【図１】
0003143057.tif 000003
【図２】
0003143057.tif 000004
【図３】
0003143057.tif 000005
【図４】
0003143057.tif 000006
【図５】
0003143057.tif 000007
【図６】
0003143057.tif 000008
【手続補正書】
【提出日】平成20年4月30日(2008.4.30)
【手続補正１】
【補正対象書類名】実用新案登録請求の範囲
【補正対象項目名】全文
【補正方法】変更
【補正の内容】
【実用新案登録請求の範囲】
【請求項１】
径大で円筒状の胴部の下部外周に雄ネジを形成し、径小で円筒状の飲口を上部に形成し、該飲口にキャップを嵌合した飲口側容器と、
前記雄ネジに螺合可能な雌ネジを上部内壁に形成した径大で有底円筒状の底側容器とからなる飲料水保存容器。
【請求項２】
飲口側筒状胴部の下部に飲口側円筒状部を形成し、該飲口側円筒状部の外周に雄ネジを形成し、前記飲口側筒状胴部の上部に径小で円筒状の飲口を形成し、該飲口にキャップを嵌合した飲口側容器と、
有底の底側筒状胴部の上部に底側円筒状部を形成し、前記雄ネジに螺合可能な雌ネジを前記底側円筒状部の内壁に形成した底側容器とからなる飲料水保存容器。
【請求項３】
円筒状の有底胴部の下部外周に雄ネジを形成し、径小で円筒状の飲口を上部に形成し、該飲口にキャップを嵌合した飲口側容器と、
前記雄ネジに螺合可能な雌ネジを容器内壁に形成し、該容器内壁と容器外壁との間に冷却剤を入れるための環状空間を形成した径大で有底円筒状の底側容器とからなる飲料水保存容器。
【請求項４】
円筒状の胴部の下部内周に雌ネジを形成し、胴部略中間に底となる隔壁を形成し、径小で円筒状の飲口を胴部上部に形成し、該飲口にキャップを嵌合した飲口側容器と、
前記雌ネジに螺合可能な雄ネジを有底円筒状容器の上部外壁に形成し、容器下部を径大にした底側容器とからなり、底側容器内に冷却剤を配設可能な飲料水保存容器。
【手続補正２】
【補正対象書類名】明細書
【補正対象項目名】全文
【補正方法】変更
【補正の内容】
【考案の詳細な説明】
【技術分野】
【０００１】
本考案は、飲料水を保存する飲料水保存容器に関する。
【背景技術】
【０００２】
特許文献１には、一本のボトルで２種類のドリンクを２箇所の飲口から飲むことができるＷペットボトルが開示されている。
特許文献２には、二本の容器の底の面どうしを接着して一本のペットボトルとした容器が開示されている。
【０００３】
特許文献３には、二つの飲口から、同一の飲料を飲むことができる携帯飲料容器が開示されている。
特許文献４には、二分した容器内に異なる飲料水を入れ、これら容器を貼り合わせたペットボトルが開示されている。
【特許文献１】特開２００６−２１３３９７号公報
【特許文献２】特開２００５−３２４８５３号公報
【特許文献３】特開２００５−１１９６９８号公報
【特許文献４】特開２００５−４７６１１号公報
【考案の開示】
【考案が解決しようとする課題】
【０００４】
特許文献１の技術は、片方のドリンクを全部飲んでしまった場合には、空のボトルが邪魔になる。
特許文献２の技術は、片方のドリンクを全部飲んでしまった場合には、空の容器が邪魔になる。
特許文献３の技術は、同一の飲料を異なる人が飲むことになるので衛生的でない。
特許文献４の技術は、飲みにくく、ボトルの加工が複雑であるのでコストがかかる。
【０００５】
本考案の第１の目的は、容器内底が洗い易い飲料水保存容器の提供にある。
本考案の第２の目的は、飲料水を冷やすことができる飲料水保存容器の提供にある。
【課題を解決するための手段】
【０００６】
〔請求項１について〕
飲料水保存容器は、径大で円筒状の胴部の下部外周に雄ネジを形成し、径小で円筒状の飲口を上部に形成し、飲口にキャップを嵌合した飲口側容器と、雄ネジに螺合可能な雌ネジを上部内壁に形成した径大で有底円筒状の底側容器とからなる。
【０００７】
製造工場において、飲口側容器の雄ネジと底側容器の雌ネジとが螺合する様に、飲口側容器と底側容器とを水密的に連結し、果汁等の飲料水を容器内へ飲口から注入し、飲口にキャップを嵌合させて販売店等に出荷する。
【０００８】
飲料水が入った飲料水保存容器を購入した消費者は、飲口のキャップを外して飲料水を飲む。
空になった飲料水保存容器を、お茶やコーヒー等を保存する容器として消費者が再利用する際には、飲口側容器と底側容器との一方を左手で持ち、右手で他方の容器を廻して二つに分離する。
なお、飲料水保存容器を再利用する際には、タワシ等を容器開口から容器内壁に押し当てて擦れば、飲口側容器および底側容器の内壁を綺麗に洗浄することができる。
この飲料水保存容器は、衛生的に繰り返し、再利用できるので、ゴミの減量や、資源の節約に寄与する。
【０００９】
〔請求項２について〕
飲料水保存容器は、飲口側筒状胴部の下部に飲口側円筒状部を形成し、飲口側円筒状部の外周に雄ネジを形成し、飲口側筒状胴部の上部に径小で円筒状の飲口を形成し、飲口にキャップを嵌合した飲口側容器と、有底の底側筒状胴部の上部に底側円筒状部を形成し、雄ネジに螺合可能な雌ネジを底側円筒状部の内壁に形成した底側容器とからなる。
なお、飲口側円筒状部以外の飲口側筒状胴部は、断面が円形である必要はなく、四角形や六角形であっても良い。また、底側円筒状部以外の底側容器は、嵌合時の見栄えを考慮すると断面円形が好適である。
【００１０】
製造工場において、飲口側円筒状部の雄ネジと底側円筒状部の雌ネジとが螺合する様に、飲口側容器と底側容器とを水密的に連結し、紅茶等の飲料水を容器内へ飲口から注入し、飲口にキャップを嵌合させて販売店等に出荷する。
【００１１】
飲料水が入った飲料水保存容器を購入した消費者は、飲口のキャップを外して飲料水を飲む。
空になった飲料水保存容器を、お茶やコーヒー等を保存する容器として消費者が再利用する際には、飲口側容器と底側容器との一方を左手で持ち、右手で他方の容器を廻して二つに分離する。
なお、飲料水保存容器を再利用する際には、タワシ等を容器開口から容器内壁に押し当てて擦れば、飲口側容器および底側容器の内壁を綺麗に洗浄することができる。
この飲料水保存容器は、衛生的に繰り返し、再利用できるので、ゴミの減量や、資源の節約に寄与する。
【００１２】
〔請求項３について〕
飲料水保存容器は、円筒状の有底胴部の下部外周に雄ネジを形成し、径小で円筒状の飲口を上部に形成し、飲口にキャップを嵌合した飲口側容器と、雄ネジに螺合可能な雌ネジを容器内壁に形成し、容器内壁と容器外壁との間に冷却剤を入れるための環状空間を形成した径大で有底円筒状の底側容器とからなる。
【００１３】
製造工場において、カクテル等の飲料水を飲口側容器内へ飲口から注入し、飲口にキャップを嵌合させて販売店等に出荷する。なお、嵩張らない様に、飲料水の注入前か注入後に、有底胴部の雄ネジと底側容器の雌ネジとが螺合する様に、飲口側容器と底側容器とを連結する。
【００１４】
この飲料水保存容器を購入した消費者が、氷等が入手困難な場所で冷えた飲料水を飲みたい場合には、予め、飲口側容器と底側容器との一方を左手で持ち、右手で他方の容器を廻して二つに分離し、底側容器の内壁と外壁との間の環状空間に、氷等の冷却剤を入れ、再び、飲口側容器と底側容器とを廻して連結しておく。
消費者は、飲口のキャップを外せば、冷えた飲料水を飲むことができる。
【００１５】
〔請求項４について〕
飲料水保存容器は、円筒状の胴部の下部内周に雌ネジを形成し、胴部略中間に底となる隔壁を形成し、径小で円筒状の飲口を胴部上部に形成し、飲口にキャップを嵌合した飲口側容器と、雌ネジに螺合可能な雄ネジを有底円筒状容器の上部外壁に形成し、容器下部を径大にした底側容器とからなり、底側容器内に冷却剤が配設可能である。
【００１６】
製造工場において、清涼炭酸水等の飲料水を飲口側容器内へ飲口から注入し、飲口にキャップを嵌合させて販売店等に出荷する。なお、嵩張らない様に、飲料水の注入前か注入後に、飲口側容器の雌ネジと底側容器の雄ネジとが螺合する様に、飲口側容器と底側容器とを連結する。
【００１７】
この飲料水保存容器を購入した消費者が、氷等が入手困難な場所で冷えた飲料水を飲みたい場合には、予め、飲口側容器と底側容器との一方を左手で持ち、右手で他方の容器を廻して二つに分離し、底側容器内に、氷等の冷却剤を入れ、再び、飲口側容器と底側容器とを廻して連結しておく。
消費者は、飲口のキャップを外せば、冷えた飲料水を飲むことができる。
【考案を実施するための最良の形態】
【００１８】
飲料水保存用のプラスチック容器は、飲口側筒状胴部（断面四角形）の下部に飲口側円筒状部を形成し、この飲口側円筒状部の外周に雄ネジを形成し、飲口側筒状胴部の上部に飲口を形成し、この飲口にスクリューキャップを嵌合した飲口側容器と、有底の底側円筒状胴部の上部に底側円筒状部を形成し、雄ネジに螺合可能な雌ネジを底側円筒状部の内壁に形成した底側容器とからなる。
【００１９】
製造工場において、飲口側円筒状部の雄ネジと底側円筒状部の雌ネジとが螺合する様に、飲口側容器と底側容器とを水密的に連結し、果肉入り飲料水を容器内へ飲口から注入し、飲口にスクリューキャップを嵌合させて飲料水販売店へ出荷する。
【００２０】
果肉入り飲料水が入った飲料水保存容器を購入した消費者は、飲口のキャップを外して果肉入り飲料水を飲む。
空になった飲料水保存容器を、お茶やコーヒー等を保存する容器として消費者が再利用する際には、飲口側容器と底側容器との一方を左手で持ち、右手で他方の容器を廻して二つに分離する。
なお、飲料水保存容器を再利用する際には、タワシ等を容器開口から容器内壁に押し当てて擦れば、飲口側容器および底側容器の内壁にこびり付いた果肉カスを綺麗に洗浄することができる。
この飲料水保存容器は、衛生的に繰り返し、再利用できるので、ゴミの減量や、資源の節約に寄与する。
【実施例１】
【００２１】
本考案の実施例１（請求項１に対応）を図１に基づいて説明する。
飲料水保存容器１は、飲口１１にスクリューキャップ１２を嵌合した飲口側容器１３と、底側容器１４とからなる。
【００２２】
飲口側容器１３（硬質プラスチック製）は、径大で円筒状の胴部１５の下部外周に雄ネジ１６を形成し、径小で円筒状の飲口１１を上部に形成している。
底側容器１４（硬質プラスチック製）は径大で有底円筒状を呈し、雄ネジ１６に螺合可能な雌ネジ１７を上部内壁に形成している。
【００２３】
製造工場において、飲口側容器１３の雄ネジ１６と底側容器１４の雌ネジ１７とが螺合する様に、飲口側容器１３と底側容器１４とを水密的に連結し、果汁等の飲料水を容器内へ飲口１１から注入し、飲口１１にスクリューキャップ１２を嵌合させて製造する。そして、この飲料水保存容器１は、販売店等に出荷される。
【００２４】
飲料水が入った飲料水保存容器１を購入した消費者は、飲口１１のスクリューキャップ１２を外して飲料水を飲む。
空になった飲料水保存容器１を、お茶やコーヒー等を保存する容器として消費者が再利用する際には、飲口側容器１３と底側容器１４との一方を左手で持ち、右手で他方の容器を廻して二つに分離する。なお、飲料水保存容器１を再利用する際には、タワシ等を容器開口から容器内壁に押し当てて擦れば、飲口側容器１３および底側容器１４の内壁を綺麗に洗浄することができる。
この飲料水保存容器１は、衛生的に繰り返し、再利用できるので、ゴミの減量や、資源の節約に寄与する。
【実施例２】
【００２５】
本考案の実施例２（請求項２に対応）を図２に基づいて説明する。
飲料水保存容器２は、飲口２１にスクリューキャップ２２を嵌合した飲口側容器２３と、底側容器２４とからなる。
【００２６】
飲口側容器２３（硬質プラスチック製）は、飲口側筒状胴部２５の下部に飲口側円筒状部２６を形成し、飲口側円筒状部２６の外周に雄ネジ２６ａを形成し、飲口側筒状胴部２５の角錐上部に径小で円筒状の飲口２１を形成している。
底側容器２４（硬質プラスチック製）は、有底の径大円筒胴部２７の上部に底側円筒状部２８を形成し、雄ネジ２６ａに螺合可能な雌ネジ２８ａを底側円筒状部２８の内壁に形成している。
【００２７】
製造工場において、飲口側容器２３の雄ネジ２６ａと底側容器２４の雌ネジ２８ａとが螺合する様に、飲口側容器２３と底側容器２４とを水密的に連結し、果汁等の飲料水を容器内へ飲口２１から注入し、飲口２１にスクリューキャップ２２を嵌合させて製造する。そして、この飲料水保存容器２は、販売店等に出荷される。
【００２８】
飲料水が入った飲料水保存容器２を購入した消費者は、飲口２１のスクリューキャップ２２を外して飲料水を飲む。
空になった飲料水保存容器２を、お茶やコーヒー等を保存する容器として消費者が再利用する際には、飲口側容器２３と底側容器２４との一方を左手で持ち、右手で他方の容器を廻して二つに分離する。なお、飲料水保存容器２を再利用する際には、タワシ等を容器開口から容器内壁に押し当てて擦れば、飲口側容器２３および底側容器２４の内壁を綺麗に洗浄することができる。
【００２９】
この飲料水保存容器２は、衛生的に繰り返し、再利用できるので、ゴミの減量や、資源の節約に寄与する。
この飲料水保存容器２は、飲口側容器２３が角筒状であるので、消費者が飲料水を飲む際に持ち易いとともに、機械的強度を高くできる。
【実施例３】
【００３０】
本考案の実施例３（請求項３に対応）を図３に基づいて説明する。
飲料水保存容器３は、飲口３１にスクリューキャップ３２を嵌合した飲口側容器３３  と、底側容器３４とからなる。
【００３１】
飲口側容器３３（ガラス製）は、円筒状の有底胴部３５の下部外周に雄ネジ３５ａを形成し、径小で円筒状の飲口３１を上部に形成し、飲口３１にスクリューキャップ３２を嵌合している。
【００３２】
底側容器３４（硬質プラスチック製）は径大で有底円筒状を呈し、雄ネジ３５ａに螺合可能な雌ネジ３４ａを容器内壁に形成し、容器内壁と容器外壁との間に氷３０（冷却剤）を入れるための環状空間３６を形成している。
【００３３】
製造工場において、カクテル等の飲料水を容器内へ飲口３１から注入し、飲口３１にスクリューキャップ３２を嵌合させて製造する。そして、この飲料水が入った飲料水保存容器３は、底側容器３４とともに、酒販売店へ出荷される。
【００３４】
飲口側容器３３に底側容器３４を同梱した飲料水保存容器３を購入した消費者は、飲料水を飲む予定時間より前に底側容器３４の環状空間３６内へ氷３０を入れ、飲口側容器３３と底側容器３４との一方を左手で持ち、右手で他方の容器を廻して容器どうしを合体させておく。
【００３５】
合体させてから時間が経過して、飲口側容器３３内の飲料水が充分冷えてきたら、スクリューキャップ３２を外して、冷えた飲料水を飲口３１からグラス等へ注いで飲む。
【００３６】
空になった飲料水保存容器３を、お茶やコーヒー等の冷却器として消費者が再利用することもできる。この飲料水保存容器３は、再利用できるので、ゴミの減量や、資源の節約に寄与する。
【実施例４】
【００３７】
本考案の実施例４（請求項４に対応）を図４に基づいて説明する。
飲料水保存容器４（硬質プラスチック製）は、飲口４１にスクリューキャップ４２を嵌合した飲口側容器４３と、円筒状の底側容器４４とからなる。
飲口側容器４３は、円筒状の胴部４５の下部内周に雌ネジ４５ａを形成し、胴部中間より若干下方に底となる隔壁４５ｂを形成し、径小で円筒状の飲口４１を胴部上部に形成している。
【００３８】
製造工場において、炭酸飲料等の飲料水を容器内へ飲口４１から注入し、飲口４１にスクリューキャップ４２を嵌合させて製造する。そして、この飲料水が入った飲料水保存容器４は、空の底側容器４４を嵌合させて販売店へ出荷される。
【００３９】
空の底側容器４４を嵌合した飲料水保存容器４を購入した消費者は、飲口側容器４３と底側容器４４との一方を左手で持ち、右手で他方の容器を廻して容器どうしを外し、飲料水を飲む予定時間より前に底側容器４４内へ氷４０を入れた後に、同様の方法で容器どうしを合体させておく。
【００４０】
合体させてから時間が経過して、飲口側容器４３内の飲料水が充分冷えてきたら、スクリューキャップ４２を外して、冷えた飲料水を心地よく飲口４１から飲むことができる。  
【００４１】
空になった飲料水保存容器４を、お茶やコーヒー等の冷却器として消費者が再利用することもできる。この飲料水保存容器４は、再利用できるので、ゴミの減量や、資源の節約に寄与する。
【図面の簡単な説明】
【００４２】
【図１】本考案の実施例１にかかる飲料水保存容器の説明図である。
【図２】本考案の実施例２にかかる飲料水保存容器の説明図である。
【図３】本考案の実施例３にかかる飲料水保存容器の説明図である。
【図４】本考案の実施例４にかかる飲料水保存容器の説明図である。
【符号の説明】
【００４３】
１、２、３、４  飲料水保存容器
１１、２１、３１、４１  飲口
１２、２２、３２、４２  スクリューキャップ
１３、２３、３３、４３  飲口側容器
１４、２４、３４、３５、４４  底側容器
１５、４５  胴部
１６  雄ネジ
１７、２８ａ、３４ａ、４５ａ  雌ネジ
２５  飲口側筒状胴部
２６  飲口側円筒状部
２６ａ、３５ａ  雄ネジ
２７  径大円筒胴部
２８  底側円筒状部
３５  有底胴部
３６  環状空間
４３  飲口側容器
４５ｂ  隔壁
【手続補正３】
【補正対象書類名】図面
【補正対象項目名】図５
【補正方法】削除
【補正の内容】
【手続補正４】
【補正対象書類名】図面
【補正対象項目名】図６
【補正方法】削除
【補正の内容】